(57)【要約】【課題】マット本体を容易に片付けられるようにしたマッサージマットを提供する。【解決手段】繰り返し膨縮するマッサージ用エアーバッグ3〜8とともにマット本体に設けられ膨張状態を保持して使用される保持用エアーバッグ9.10に対する給気と排気とを担う保持用弁装置19.20を、マット本体に固定する。弁装置19.20は、通電時にエアーバッグ9.10への給気をし、非通電時にエアーバッグ9.10からの排気を可能とする保持用電磁三方弁22.25、及びこの弁に接続されて三方弁22.25を通った排気を通電時に流出させ、三方弁22.25を通った排気の流出を非通電時に遮断する保持用電磁二方弁23,26を有する。各エアーバッグ3〜10に給気される圧縮空気を生成する駆動部33と、駆動部及び保持用弁装置19.20を制御する回路部35をマット本体に着脱自在に取付ける。回路部が駆動部33とともにマット本体から外された状態で栓28.30により開閉される開閉口27.29を、エアーバッグ9.10から三方弁22.25を経由して二方弁23,26に至る排気経路に設ける。【選択図】      図２
2006180890.tif 000002
【特許請求の範囲】
【請求項１】
マット本体と；
このマット本体に設けられてエアーの給排気により繰り返し膨縮するマッサージ用エアーバッグと；
前記マット本体に設けられて膨張状態を保持して使用される保持用エアーバッグと；
通電時に前記保持用エアーバッグへの給気をする給気状態となり、非通電時に前記保持用エアーバッグからの排気を可能とする排気状態に切換わる保持用電磁三方弁、及びこの三方弁に接続されて通電時に前記保持用電磁三方弁を通った排気を流出させる開き状態となり、非通電時に前記保持用電磁三方弁を通った排気の流出を遮断する閉じ状態に切換わる保持用電磁二方弁を有して前記保持用エアーバッグに対する給気と排気とを担う保持用弁装置と；
前記マット本体に着脱自在に取付けられて前記各エアーバッグに給気される圧縮空気を生成する駆動部と；
この駆動部とともに前記マット本体に着脱自在に取付けられて前記駆動部及び前記保持用弁装置を制御する回路部と；
前記保持用エアーバッグから前記保持用電磁三方弁を経由して前記保持用電磁二方弁に至る排気経路に設けられ、前記回路部が前記マット本体から外された状態で前記排気経路を大気中に開放させる開閉手段と；
を具備したマッサージマット。
【請求項２】
前記開閉手段を、前記回路部が前記マット本体から外されることに連動して開かれる栓で形成した請求項１に記載のマッサージマット。
【発明の詳細な説明】
【技術分野】
【０００１】
本発明は、エアーバッグに給排気するための駆動部及び回路部等がマット本体に取付けられたマッサージマットに関する。
【背景技術】
【０００２】
従来、マット本体に設けた袋体をそれへの給気により膨張させ、この膨張状態を維持してマット本体上の人体に対する枕として使用する技術が知られている（例えば、特許文献１参照。）。
【０００３】
この特許文献１の技術では、マット本体にエアーチューブを介して接続されマット本体外に配置された装置本体内のロータリー弁を、ステッピングモータで駆動することにより、各袋体への給排気が行われるようになっている。
【特許文献１】特開平８−６６４４４号公報（段落0004−0007、0025−0027、図１、図３、図９）
【発明の開示】
【発明が解決しようとする課題】
【０００４】
空気を分配するロータリー弁、エアーコンプレッサー（駆動部）、及び回路部等が内蔵された装置本体とマット本体とが別々に設置された特許文献１の構成では、装置本体とマット本体とを連通させるエアーチューブが必要であるとともに、このエアーチューブに歩行者の足が引っ掛る恐れもある。このため、装置本体をマット本体に組込むことが望ましい。
【０００５】
しかし、装置本体の重量はかなり重いので、これをマット本体に組込むと、マット本体を押入れなどに片付ける場合に取り扱いづらくなる。そこで、装置本体をマット本体に着脱自在に取付けるようにすれば、以上の諸問題は解決できる。この場合、装置本体とともに各袋体（エアーバッグ）に個別に連通した配管（エアーチューブ）とロータリー弁との接続を逐一外すことは面倒であるので、この部分を除いた駆動部及び回路部をマット本体に着脱することが望ましい。
【０００６】
ところで、ステッピングモータにより駆動されるロータリー弁等は、袋体への給排気を担うものであって、それへの通電・非通電が回路部で制御されるものである。このため、回路部がマット本体から外された場合には、袋体への給排気を担うロータリー弁等を電気的に制御することが不可能となる。これにより、例えば、人体の頭部を押し上げた状態に保持する袋体が膨張維持されている状態で、マット本体が回路部から外された場合には、前記袋体は膨張状態を維持したままとなる。この状況でマット本体を折り畳むと、畳まれたマット本体が嵩張って大きくなってしまうので、例えば押入れなどにマット本体を片付ける上では好ましくない。
【０００７】
したがって、既述のようにマット本体から回路部が外されるマッサージマットにあって、膨張維持して人体を支持するための保持用エアーバッグを、回路部がマット本体から外されたときに収縮させる技術の提供が望まれている。しかし、こうした要請について特許文献１の技術は何ら対応できるものではない。
【０００８】
本発明の目的は、回路部がマット本体から外されたときに保持用エアーバッグを収縮させてマット本体を容易に片付けられるようにしたマッサージマットを提供することにある。
【課題を解決するための手段】
【０００９】
前記課題を解決するために本発明は、繰り返し膨縮するマッサージ用エアーバッグとともにマット本体に設けられ膨張状態を保持して使用される保持用エアーバッグへの給気を通電時にし、保持用エアーバッグからの排気を非通電時に可能とする保持用電磁三方弁、及びこの弁に接続されて保持用電磁三方弁を通った排気を通電時に流出させ、保持用電磁三方弁を通った排気の流出を非通電時に遮断する保持用電磁二方弁を有して、保持用エアーバッグに対する給気と排気とを担う保持用弁装置を、マット本体に取付けるとともに、各エアーバッグに給気される圧縮空気を生成する駆動部及びこの駆動部と保持用弁装置とを制御する回路部を、夫々マット本体に着脱自在に取付け、保持用エアーバッグから保持用電磁三方弁を経由して保持用電磁二方弁に至る排気経路に、駆動部とともに回路部がマット本体から外された状態で前記排気経路を大気中に開放させる開閉手段を設けている。
【発明の効果】
【００１０】
本発明によれば、回路部がマット本体から外されたときに、保持用エアーバッグから保持用電磁三方弁を経由して保持用電磁二方弁に至る排気経路を大気中に開放させて、保持用エアーバッグを収縮させることができるので、保持用エアーバッグを収縮させた状態でマット本体を容易に片付けることができるマッサージマットを提供できる。
【発明を実施するための最良の形態】
【００１１】
図１及び図２を参照して本発明の一実施形態を説明する。
【００１２】
図１中符号１はマッサージマットを示し、そのマット本体２は長方形である。マット本体２の例えば図１中符号Ａ、Ｂで示す部位は、他の部分よりも折り曲げ易く形成されていて、これらの部位Ａ，Ｂでマット本体２が折り畳めるようになっている。したがって、マッサージマット１はその非使用時に折り畳んで押入れなどに格納することができる。
【００１３】
マット本体２の人体が接する表面側には、エアーの給排気により膨縮を繰り返す複数のマッサージ用エアーバッグ３〜８と、マッサージ用及び保持用に使用できるエアーバッグ９と、保持用エアーバッグ１０とが配設されている。エアーバッグ３は人体の左肩部をマッサージする位置に配設され、エアーバッグ４は人体の右肩部をマッサージする位置に配設されている。エアーバッグ５は人体の左背中部をマッサージする位置に配設され、エアーバッグ６は人体の右背中部をマッサージする位置に配設されている。エアーバッグ７は人体の左腰部をマッサージする位置に配設され、エアーバッグ８は人体の右腰部をマッサージする位置に配設されている。
【００１４】
エアーバッグ９は人体の首肩部をマッサージ又は保持する位置に配置されている。このエアーバッグ９は、それがマッサージ用に使用される時には、エアーが給排気されて膨縮を繰り返す。又、エアーバッグ９は、それが保持用に使用される時には、例えば他のマッサージ用エアーバッグが使用されている間中膨張状態を保持して、首肩部を押し上げた状態に保持する。
【００１５】
エアーバッグ１０は人体の下腿を保持する位置に配置されている。このエアーバッグ１０は、それが使用される時には、例えば他のマッサージ用エアーバッグが使用されている間中膨張状態を保持して、人体の下腿を押し上げた状態に保持する。
【００１６】
マット本体２の長手方向一端部、すなわち、保持用エアーバッグ１０に近い側の端部には、エアー分配部１２と、駆動部３３と、回路部３５とが夫々設けられている。エアー分配部１２は、マット本体２に対して分離できないように固定されているが、駆動部３３及び回路部３５はマット本体２に対して着脱自在に取付けられている。駆動部３３及び回路部３５は、比較的大きな重量を有しているが、マット本体２を折り畳んで格納する場合等において、駆動部３３と回路部３５とをマット本体２から取外すことにより、折り畳まれたマット本体２の重量を軽くし、かつ、重量の偏りを軽減できる。これにより、押入れなどに出し入れする場合等の取り扱いを容易にできる。
【００１７】
駆動部３３及び回路部３５は、マット本体２への着脱の利便性及びマット本体２から外した状態での保護や取り扱いの利便性のために、単一のユニットとなっていて、それが一度に着脱できるようにマット本体２に取付けられていてもよい。
【００１８】
エアー分配部１２は、各エアーバッグ３〜８に対する給排気を個別に担う膨縮用電磁三方弁１３〜１８（図２参照）、エアーバッグ９に対する給排気を担う保持用弁装置１９（図２参照）、及びエアーバッグ１０に対する給排気を担う保持用弁装置２０（図２参照）などを備えている。
【００１９】
膨縮用電磁三方弁１３〜１８は、いずれも第１のポート１３ａ〜１８ａと、第２のポート１３ｂ〜１８ｂと、第３のポート１３ｃ〜１８ｃとを有している。
【００２０】
膨縮用電磁三方弁１３の第１のポート１３ａはマッサージ用エアーバッグ３に配管を介して接続され、第２のポート１３ｂは自在に変形ができる給気管２１（図２参照）に接続され、第３のポート１３ｃは排気ポートとして使用される。この膨縮用電磁三方弁１３は、通電時に第１のポート１３ａと第２のポート１３ｂとを連通する給気状態に切換わり、非通電時に第１のポート１３ａと第３のポート１３ｃとを連通させる排気状態に切換わる。
【００２１】
膨縮用電磁三方弁１４の第１のポート１４ａはマッサージ用エアーバッグ４に配管を介して接続され、第２のポート１４ｂは前記給気管２１に接続され、第３のポート１４ｃは排気ポートとして使用される。この膨縮用電磁三方弁１４は、通電時に第１のポート１４ａと第２のポート１４ｂとを連通する給気状態に切換わり、非通電時に第１のポート１４ａと第３のポート１４ｃとを連通させる排気状態に切換わる。
【００２２】
膨縮用電磁三方弁１５の第１のポート１５ａはマッサージ用エアーバッグ５に配管を介して接続され、第２のポート１５ｂは前記給気管２１に接続され、第３のポート１５ｃは排気ポートとして使用される。この膨縮用電磁三方弁１５は、通電時に第１のポート１５ａと第２のポート１５ｂとを連通する給気状態に切換わり、非通電時に第１のポート１５ａと第３のポート１５ｃとを連通させる排気状態に切換わる。
【００２３】
膨縮用電磁三方弁１６の第１のポート１６ａはマッサージ用エアーバッグ６に配管を介して接続され、第２のポート１６ｂは前記給気管２１に接続され、第３のポート１６ｃは排気ポートとして使用される。この膨縮用電磁三方弁１６は、通電時に第１のポート１６ａと第２のポート１６ｂとを連通する給気状態に切換わり、非通電時に第１のポート１６ａと第３のポート１６ｃとを連通させる排気状態に切換わる。
【００２４】
膨縮用電磁三方弁１７の第１のポート１７ａはマッサージ用エアーバッグ７に配管を介して接続され、第２のポート１７ｂは前記給気管２１に接続され、第３のポート１７ｃは排気ポートとして使用される。この膨縮用電磁三方弁１７は、通電時に第１のポート１７ａと第２のポート１７ｂとを連通する給気状態に切換わり、非通電時に第１のポート１７ａと第３のポート１７ｃとを連通させる排気状態に切換わる。
【００２５】
膨縮用電磁三方弁１８の第１のポート１８ａはマッサージ用エアーバッグ８に配管を介して接続され、第２のポート１８ｂは前記給気管２１に接続され、第３のポート１８ｃは排気ポートとして使用される。この膨縮用電磁三方弁１８は、通電時に第１のポート１８ａと第２のポート１８ｂとを連通する給気状態に切換わり、非通電時に第１のポート１８ａと第３のポート１８ｃとを連通させる排気状態に切換わる。
【００２６】
保持用弁装置１９は、保持用電磁三方弁２２と保持用電磁二方弁２３とを備えている。保持用電磁三方弁２２は第１〜第３のポート２２ａ〜２２ｃを有している。保持用電磁二方弁２３は第１のポート２３ａと第２のポート２３ｂとを有している。保持用電磁三方弁２２の第１のポート２２ａはエアーバッグ９に配管を介して接続され、第２のポート２２ｂは前記給気管２１に接続され、第３のポート２２ｃは保持用電磁二方弁２３の第１のポート２３ａに接続されている。保持用電磁二方弁２３の第２のポート２３ｂは排気ポートとして使用される。保持用電磁三方弁２２は、通電時に第１のポート２２ａと第２のポート２２ｂとを連通する給気状態となり、非通電時に第１のポート２２ａと第３のポート２２ｃとを連通させてエアーバッグ９からの排気を可能とする排気状態に切換わる。保持用電磁二方弁２３は、通電時に第１のポート２３ａと第２のポート２３ｂとを連通する開き状態となり、非通電時に第１のポート２３ａと第２のポート２３ｂとの連通を遮断する閉じ状態となる。
【００２７】
したがって、保持用電磁三方弁２２を通電状態とするとともに保持用電磁二方弁２３を非通電状態とすることでエアーバッグ９への給気が行われ、保持用電磁三方弁２２を非通電状態とするとともに保持用電磁二方弁２３を通電状態とすることでエアーバッグ９から第２のポート２３ｃを通る排気が行われる。更に、エアーバッグ９への給気後に、保持用電磁三方弁２２及び保持用電磁二方弁２３を共に非通電状態とすることにより、前記給気によりエアーバッグ９が膨張した状態を保持できる。又、この膨張保持をしない場合には、保持用電磁二方弁２３に通電してこれを開き状態に保持した上で、保持用電磁三方弁２２に対する通電と非通電とを繰り返すことにより、エアーバッグ９を繰り返し膨縮させることができる。
【００２８】
保持用エアーバッグ１０に対して設けられる保持用弁装置２０は、保持用電磁三方弁２５と保持用電磁二方弁２６とを備えている。保持用電磁三方弁２５は第１〜第３のポート２５ａ〜２５ｃを有している。保持用電磁二方弁２６は第１のポート２６ａと第２のポート２６ｂとを有している。保持用電磁三方弁２５の第１のポート２５ａはエアーバッグ１０に配管を介して接続され、第２のポート２５ｂは前記給気管２１に接続され、第３のポート２５ｃは保持用電磁二方弁２６の第１のポート２６ａに接続されている。保持用電磁二方弁２６の第２のポート２６ｂは排気ポートとして使用される。保持用電磁三方弁２５は、通電時に第１のポート２５ａと第２のポート２５ｂとを連通する給気状態となり、非通電時に第１のポート２５ａと第３のポート２５ｃとを連通させてエアーバッグ１０からの排気を可能とする排気状態に切換わる。保持用電磁二方弁２６は、通電時に第１のポート２６ａと第２のポート２６ｂとを連通する開き状態となり、非通電時に第１のポート２６ａと第２のポート２６ｂとの連通を遮断する閉じ状態となる。
【００２９】
したがって、保持用電磁三方弁２５を通電状態とするとともに保持用電磁二方弁２６を非通電状態とすることでエアーバッグ１０への給気が行われ、保持用電磁三方弁２５を非通電状態とするとともに保持用電磁二方弁２６を通電状態とすることでエアーバッグ１０から第２のポート２６ｂを通る排気が行われる。更に、エアーバッグ１０への給気後に、保持用電磁三方弁２５及び保持用電磁二方弁２６を共に非通電状態とすることにより、前記給気によりエアーバッグ１０が膨張した状態を保持できる。又、この膨張保持をしない場合には、保持用電磁二方弁２６に通電してこれを開き状態に保持した上で、保持用電磁三方弁２５に対する通電と非通電とを繰り返すことにより、エアーバッグ１０を繰り返し膨縮させることができる。
【００３０】
前記駆動部３３は、図示しない電動式のエアーポンプ及び脈動吸収用のフィルタータンクなどを有している。この駆動部３３の吐出し口には前記給気管２１が管継手２１ａ（図２参照）を介して着脱自在に接続されている。管継手２１ａの吐出し口への着脱は、マット本体２に駆動部３３が着脱される際に手動で行われる。
【００３１】
回路部３５は、駆動部３３のエアーポンプの駆動と停止とを制御すると共に、エアー分配部１２の膨縮用電磁三方弁１３〜１８、保持用電磁三方弁２２，２５、及び保持用電磁二方弁２３，２６に対する通電と非通電とを制御するものである。この回路部３５とエアー分配部１２との間の電気的接続はコネクタ（図示しない）を介してなされており、このコネクタの連結と分離とはマット本体２に回路部３５が着脱される際に手動で行われる。又、回路部３５に対する制御指令は、これに電気的に接続された図示しないリモートコントローラによって与えられる。
【００３２】
保持用弁装置１９はエアーバッグ９から保持用電磁三方弁２２を経由して保持用電磁二方弁２３に至る排気経路を有している。同様に保持用弁装置２０は、保持用エアーバッグ１０から保持用電磁三方弁２５を経由して保持用電磁二方弁２６に至る排気経路を有している。これらの排気経路にはそれぞれ開閉手段が設けられている。図２に例示するように保持用弁装置１９に対する開閉手段は、前記排気経路に連通した開閉口２７と、この開閉口２７を開閉する栓２８とで形成されて、同様に保持用弁装置２０に対する開閉手段は、前記排気経路に連通した開閉口２９と、この開閉口２９を開閉する栓３０とで形成されている。
【００３３】
栓２８，３０は対応する開閉口２７，２９に対して回転又は着脱されること等によって開閉口２７，２９を開閉するものである。これらの栓２８，３０による開閉口２７，２９の開閉は、マット本体２に回路部３５が着脱される際に例えば手動で行われる。しかし、これに代えて、マット本体２に回路部３５が着脱されることに連動して栓２８，３０を開閉口２７，２９に着脱できるようにすることもでき、このようにする場合には、開閉口２７，２９に対応する栓２８，３０を着脱する操作を要しない点で好ましい。なお、回路部３５に代えてマット本体２に駆動部３３が着脱される際に、栓２８，３０が開閉口２７，２９を例えば手動で開閉するようにしてもよい。
【００３４】
前記構成を備えたマッサージマット１のマット本体２には、エアー分配部１２が固定されているとともに、駆動部３３及び回路部３５が着脱自在に取付けられている。これにより、エアー分配部１２から各エアーバッグ３〜１０にわたる可撓性のエアー配管もマット本体２に内蔵されるので、この配管に歩行者が足を引っ掛けることがない。
【００３５】
そして、リモートコントローラからの指定にしたがって回路部３５が駆動部３３及びエアー分配部１２の各弁に対する通電・非通電を制御することにより、指定されたマッサージ用エアーバッグ３〜８の膨縮が繰り返されて、マット本体２上に横たわった人体をエアーマッサージすることができる。
【００３６】
このマッサージの間中、例えばエアーバッグ９，１０は膨張維持される。それにより、マット本体２上に横たわった人体の首肩部をエアーバッグ９で押し上げ保持することができるとともに、同人体の下腿をエアーバッグ１０で押し上げ保持することができる。なお、エアーバッグ９，１０の膨張維持は、リモートコントローラで任意に指定でき、これにより、エアーバッグ３〜１０を用いたマッサージをしないときにも、エアーバッグ９，１０の少なくともいずれか一方は膨張保持させて使用できる。
【００３７】
エアーバッグ９を膨張させるには、保持用電磁三方弁２２への通電で、その第１のポート２２ａと第２のポート２２ｂとを連通させることで行われる。この後、エアーバッグ９の膨張を保持するには、保持用電磁三方弁２２を非通電としてその第１，第２のポート２２ａ，２２ｂの連通を断つとともに、第１のポート２２ａと第３のポート２２ｃとを連通させる一方で、保持用電磁二方弁２３を閉じ状態に維持する非通電状態とする。これにより、エアーバッグ９から保持用電磁三方弁２２及び保持用電磁二方弁２３を通る排気経路が閉じて、エアーバッグ９からの排気が妨げられる。なお、この状態では、駆動部３３及び回路部３５がマット本体２に取付けられているので、栓２８は前記排気通路に連通した開閉口２７を閉じている。
【００３８】
この状態で、膨張されたエアーバッグ９を収縮させるには、保持用電磁二方弁２３に通電してこの弁を開くことにより、前記排気通路が開かれるので、この通路にエアーバッグ９内の空気が通って大気中に放出される。
【００３９】
保持用のエアーバッグ１０についても同様である。つまり、エアーバッグ１０を膨張させるには、保持用電磁三方弁２５への通電で、その第１のポート２５ａと第２のポート２５ｂとを連通させることで行われる。この後、エアーバッグ１０の膨張を保持するには、保持用電磁三方弁２５を非通電としてその第１，第２のポート２５ａ，２５ｂの連通を断つとともに、第１のポート２５ａと第３のポート２５ｃとを連通させる一方で、保持用電磁二方弁２６を閉じ状態に維持する非通電状態とする。これにより、エアーバッグ１０から保持用電磁三方弁２５及び保持用電磁二方弁２６を通る排気経路が閉じて、エアーバッグ１０からの排気が妨げられる。なお、この状態では、駆動部３３及び回路部３５がマット本体２に取付けられているので、栓３０は前記排気通路に連通した開閉口２９を閉じている。この状態で、膨張されたエアーバッグ１０を収縮させるには、保持用電磁二方弁２６に通電してこの弁を開くことにより、前記排気通路が開かれるので、この通路にエアーバッグ１０内の空気が通って大気中に放出される。
【００４０】
又、前記構成のマッサージマット１は、そのマット本体２を折り畳んで押入れなどに片付ける場合、マット本体２から駆動部３３及び回路部３５を外して、軽量化を図ることができる。これにより、押入れなどへの格納を容易にできる。
【００４１】
この際、エアーバッグ９，１０の内の少なくとも一方が膨張保持されている状態で、回路部３５が外されることがある。この場合には、回路部３５の取外しによって、保持用弁装置１９，２０の電気的制御が不可能になり、これらの弁装置１９，２０はエアーバッグ９，１０を膨張したままの状態に保持する。
【００４２】
しかし、回路部３５がマット本体２から外された状態では、栓２８を開閉口２７から外すことができる。したがって、エアーバッグ９から保持用電磁三方弁２２及び保持用電磁二方弁２３へと至る排気経路が閉じているにも拘わらず、この排気経路の開閉口２７が開かれることにより、エアーバッグ９内の空気を、開閉口２７を通じて大気中に放出させて、このエアーバッグ９を収縮させることができる。
【００４３】
同様に、回路部３５がマット本体２から外された状態では、栓３０を開閉口２９から外すことができる。したがって、エアーバッグ１０から保持用電磁三方弁２５及び保持用電磁二方弁２６へと至る排気経路が閉じているにも拘わらず、この排気経路の開閉口２９が開かれることにより、エアーバッグ１０内の空気を、開閉口２９を通じて大気中に放出させて、この保持用のエアーバッグ１０を収縮させることができる。
【００４４】
このため、折り畳まれたマット本体２の形態がエアーバッグ９，１０により嵩張って大きくなることがないので、マット本体２を押入れなどに片付け易くできる。
【００４５】
なお、押入れなどの格納場所からマット本体２を取出してマッサージマット１を使用する際には、駆動部３３及び回路部３５が再びマット本体２に取付けられ、その際に開閉口２７が手で栓２８で閉じられるとともに、開閉口２９が手で栓３０で閉じられるので、既述のマッサージ動作などの際に、開閉口２７，２９から空気が漏れることはない。
【００４６】
又、前記構成のマッサージマット１では、エアーバッグ９を膨張状態に保持する際に、保持用弁装置１９の保持用電磁三方弁２２及び保持用電磁二方弁２３はいずれも非通電状態となり、同様にエアーバッグ１０を膨張状態に保持する際に、保持用弁装置２０の保持用電磁三方弁２５及び保持用電磁二方弁２６はいずれも非通電状態となる。このため、例えばマッサージの期間中若しくはそれ以外にエアーバッグ９，１０が長時間にわたり膨張保持される場合においても、保持用電磁三方弁２２，２５及び保持用電磁二方弁２３，２６が温度上昇することがない。それにより、これらの弁の温度によって、弁自体の寿命低下がもたらされることがないとともに、その周囲の部品を耐熱グレードが高くコスト高な材料で作るという制約がもたらされることもない。
【００４７】
本発明は前記一実施形態には制約されない。例えば、前記一実施形態で保持用エアーバッグは、マット本体上の人体を押し上げ保持するものであるが、例えばマット本体上の人体のわき腹などにあたって、人体をマット本体の幅方向に位置決めする保持用エアーバッグであってもよい。又、保持用エアーバッグは人体頭部を支持する枕として使用されるものであってもよい。
【図面の簡単な説明】
【００４８】
【図１】本発明の一実施形態に係るマッサージマットのマット本体に対する各種部品の配置を概略的に示す図。
【図２】図１のマッサージマットの配管系統を示す図。
【符号の説明】
【００４９】
１…マッサージマット、２…マット本体、３〜８…マッサージ用エアーバッグ、９…首肩用のエアーバッグ、１０…保持用エアーバッグ、１３〜１８…電磁三方弁、１９，２０…保持用弁装置、２２，２５…保持用電磁三方弁、２３，２６…保持用電磁二方弁、２７，２９…開閉口（開閉手段）、２８，３０…栓（開閉手段）、３３…駆動部、３５…回路部
【図１】
2006180890.tif 000003
【図２】
2006180890.tif 000004